(57)【要約】      （修正有）【課題】電子機器の外観上の美感を向上させることができ、かつ、電子機器本体の開口部に対してベゼルを正確に位置決めすることができる電子機器を提供する。【解決手段】光ディスクドライブ４０のベゼル６１は、光ディスクドライブ本体の幅よりも大きく形成されており、幅方向に突出領域を有する。突出領域には、ボス部６５が設けられる。ＰＣ本体１０の開口部内において、突出領域と対向する対向領域には、リアカバーと、センターシャーシとを連結するリアカバー連結用ネジ４が配置される。また、対向領域には、ボス穴３３が設けられる。ベゼルにより開口部が閉じられるとき、ベゼルの突出領域により、リアカバー連結用ネジを覆うことができる。また、ベゼルにより、開口部が閉じられるとき、ボス部がボス穴に差し込まれるので、ベゼルを開口部に対して正確に位置決めすることができる。【選択図】図１９
2011253598.tif 000002
【特許請求の範囲】
【請求項１】
幅方向を有する光ディスクドライブ本体と、光ディスクを保持可能であり、かつ、前記光ディスクドライブ本体に対して出し入れ可能なディスクトレーと、前記幅方向で、前記光ディスクドライブの幅よりも突出する突出領域を有し、前記ディスクトレーに設けられ、前記ディスクトレーの前記光ディスクドライブ本体に対する出し入れに応じて移動するベゼルとを有する光ディスクドライブと、
外筐の少なくとも一部を構成する第１の部材と、前記第１の部材と連結される第２の部材と、前記ベゼルの移動に応じて、前記ベゼルにより開閉される開口部と、前記開口部内で、前記ベゼルの前記突出領域と対向する対向領域とを有し、前記光ディスクドライブを搭載する電子機器本体と、
前記電子機器本体の前記対向領域に設けられ、前記第１の部材及び前記第２の部材を連結する第１の連結部材と、
前記ベゼルの前記突出領域及び電子機器本体の前記対向領域のうち、一方側に設けられた凸部と、他方側に設けられ、前記ベゼルにより前記開口部が閉じられたときに前記凸部が差し込まれる凹部とを有し、前記ベゼルを前記開口部に対して位置決めする第１の位置決め部と
を具備する電子機器。
【請求項２】
請求項１に記載の電子機器であって、
前記光ディスディスクドライブは、前記開口部を介して、前記電子機器本体に対して着脱可能であり、
前記第１の位置決め部は、前記光ディスクドライブが前記開口部を介して電子機器本体に差し込まれ、前記ベゼルにより前記開口部が閉じられた場合に、前記凸部が前記凹部に差し込まれ、前記光ディスクドライブを前記電子機器本体に対して位置決めする
電子機器。
【請求項３】
請求項２に記載の電子機器であって、
前記電子機器は、前記光ディスクドライブが前記電子機器本体に着装された状態で、前記対向領域に配置され、前記光ディスクドライブ及び前記電子機器本体を連結する第２の連結部材をさらに具備する
電子機器。
【請求項４】
請求項１に記載の電子機器であって、
前記第１の連結部材及び前記第１の位置決め部は、前記幅方向での位置が同じ位置となるように配置される
電子機器。
【請求項５】
請求項１に記載の電子機器であって、
前記ベゼルは、前記凸部または前記凹部が設けられるベゼル本体と、前記ベゼルの移動方向で前記ベゼル本体から折り曲げられるように設けられた屈曲部とを有し、
前記電子機器は、前記電子機器本体に設けられ、前記ベゼルにより前記開口部が閉じられたときに、前記屈曲部と当接し、前記ベゼルを前記開口部に対して位置決めする第２の位置決め部をさらに具備する
電子機器。
【発明の詳細な説明】
【技術分野】
【０００１】
本発明は、ＣＤ（Compact Disc）、ＤＶＤ（Digital Versatile Disc）、ＢＤ（Blu-ray Disc）等の光ディスクのドライブである光ディスクドライブを備える電子機器に関する。
【背景技術】
【０００２】
ＰＣ（Personal computer）等の電子機器は、電子機器を構成する多くの部品を含む。ＰＣ等の電子機器は、これらの多くの部品がネジ止め等の方法により連結されて、上記部品が組立てられることで構成されている。
【０００３】
下記特許文献１に記載されたＰＣ１の装置本体２は、表示ユニット６、ベースシャーシ５、制御回路基板７、光ディスクドライブ２４、リアカバー８等の部品により構成されている。
【０００４】
このＰＣ１の装置本体２が組立てられる場合、ベースシャーシ５の前面側に表示ユニット６がネジ止め等により取り付けられる。そして、ベースシャーシ５の後面側に制御回路基板７、光ディスクドライブ２４等の部品がネジ止め等によりベースシャーシ５に取り付けられる。その後、制御回路基板７、ディスクドライブ２４等の部品を後方側から覆うようにして、リアカバー８がベースシャーシ５に対してネジ止め等の方法により取り付けられる。
【先行技術文献】
【特許文献】
【０００５】
【特許文献１】特開２００７−２７９５７７号公報（段落[００２３]、［００５５］〜［００６２］図３、図４）
【発明の概要】
【発明が解決しようとする課題】
【０００６】
ところで、ＰＣなどの電子機器を構成する各種の部品がネジ等の連結部材により連結される場合、ネジ等の連結部材が電子機器の外部から露出する場合がある。特に、電子機器の外筐を構成する部品（例えば、リアカバー）をネジ止め等の方法により、他の部品に連結する場合、ネジ等の連結部材が電子機器の外部へ露出してしまう場合が多い。この場合、電子機器の外観を損ねてしまう恐れがある。
【０００７】
一方、ＰＣ等の電子機器には、多くの場合、ＣＤ、ＤＶＤ、ＢＤ等の光ディスクのドライブである光ディスクドライブが搭載される。トレー方式の光ディスクドライブの場合、光ディスクドライブは、光ディスクドライブ本体と、光ディスクを保持し、光ディスクドライブ本体に対して出し入れされるディスクトレーと、ディスクトレーに設けられたベゼルとを含む。
【０００８】
電子機器の本体側には、光ディスクドライブ本体が搭載される位置に対応して、開口部が設けられており、ディスクトレーは、この開口部を介して出し入れされる。また、ベゼルは、ディスクトレーの出し入れに応じて、電子機器本体の開口部を開閉する。
【０００９】
本発明者らは、光ディスクドライブのベゼルに着目し、このベゼルを大きく形成し、従来、電子機器の外部へ露出していたネジ等の連結部材を、ベゼルによって覆われる位置に配置する、という新規な発明を考案した。この場合、ネジ等の連結部材は、ディスクトレーが光ディスク本体（電子機器本体）に収納された状態で、ベゼルによって覆われるので、電子機器の外観上の美感を向上させることができる。
【００１０】
しかしながら、ネジ等の連結部材を覆うためにベゼルを大きくした場合、電子機器本体に設けられた開口部に対するベゼルの位置決めが困難となってしまう。これにより、ベゼルにより開口部が閉じられた状態で、ベゼルと開口部との間に隙間が生じてしまう等の問題が生じる。
【００１１】
以上のような事情に鑑み、本発明の目的は、電子機器の外観上の美感を向上させることができ、かつ、電子機器本体の開口部に対してベゼルを正確に位置決めすることができる電子機器を提供することを目的とする。
【課題を解決するための手段】
【００１２】
上記目的を達成するため、本発明の一形態に係る電子機器は、光ディスクドライブと、電子機器本体と、第１の連結部材と、第１の位置決め部とを具備する。
【００１３】
前記光ディスクドライブは、光ディスクドライブ本体と、ディスクトレーと、ベゼルとを有する。
前記光ディスクドライブ本体は、幅方向を有する。
前記ディスクトレーは、光ディスクを保持可能であり、かつ、前記光ディスクドライブ本体に対して出し入れ可能である。
前記ベゼルは、前記幅方向で、前記光ディスクドライブの幅よりも突出する突出領域を有し、前記ディスクトレーに設けられ、前記ディスクトレーの前記光ディスクドライブ本体に対する出し入れに応じて移動する。
【００１４】
前記電子機器本体は、第１の部材と、第２の部材と、開口部と、対向領域とを有し、前記光ディスクドライブを搭載する。
前記第１の部材は、外筐の少なくとも一部を構成する。
前記第２の部材は、前記第１の部材と連結される。
前記開口部は、前記ベゼルの移動に応じて、前記ベゼルにより開閉される。
前記対向領域は、前記開口部内で、前記ベゼルの前記突出領域と対向する。
【００１５】
前記第１の連結部材は、前記電子機器本体の前記対向領域に設けられ、前記第１の部材及び前記第２の部材を連結する。
【００１６】
前記第１の位置決め部は、前記ベゼルの前記突出領域及び電子機器本体の前記対向領域のうち、一方側に設けられた凸部と、他方側に設けられ、前記ベゼルにより前記開口部が閉じられたときに前記凸部が差し込まれる凹部とを有し、前記ベゼルを前記開口部に対して位置決めする。
【００１７】
本発明の一形態では、電子機器本体の第１の部材（外筐の一部を構成する部材（例えば、リアカバー））と、第２の部材（例えば、センターシャーシ）とを連結する第１の連結部材が、電子機器本体の開口部内で、ベゼルの突出領域と対向する対向領域に設けられる。
これにより、第１の連結部材は、ベゼルにより電子機器本体の開口部が閉じられた状態で、ベゼルの突出領域により覆われる。これにより、電子機器本体の外観上の美感を向上させることができる。
【００１８】
また、本発明の一形態では、ベゼルの突出領域及び電子機器本体の対向領域のうち、一方側に設けられた凸部と、他方側に設けられた凹部とを有する第１の位置決め部が設けられている。この第１の位置決め部では、ベゼルが開口部に閉じられたときに凸部が凹部に差し込まれるので、ベゼルを電子機器本体の開口部に対して正確に位置決めすることができる。これにより、ベゼルにより開口部が閉じられた状態で、ベゼルと開口部との間に隙間が生じてしまう等の問題を解消することができる。
【００１９】
上記電子機器において、前記光ディスディスクドライブは、前記開口部を介して、前記電子機器本体に対して着脱可能であってもよい。
この場合、前記第１の位置決め部は、前記光ディスクドライブが前記開口部を介して電子機器本体に差し込まれ、前記ベゼルにより前記開口部が閉じられた場合に、前記凸部が前記凹部に差し込まれ、前記光ディスクドライブを前記電子機器本体に対して位置決めしてもよい。
【００２０】
この電子機器では、光ディスクドライブが、開口部を介して電子機器本体に対して着脱可能とされている。これにより、ユーザは、例えば、光ディスクドライブが故障した場合等に、容易に光ディスクドライブを着脱することができる。
【００２１】
ここで、電子機器本体の開口部を介して、光ディスクドライブを差し込んで光ディスクドライブを電子機器本体に装着する場合、電子機器本体に対する光ディスクドライブの位置決めが困難となる場合がある。
【００２２】
本発明の一形態では、第１の位置決め部は、前記光ディスクドライブが開口部を介して電子機器本体に差し込まれ、前記ベゼルにより前記開口部が閉じられ場合に、凸部が凹部に差し込まれる。これにより、第１の位置決め部は、前記光ディスクドライブが差し込まれる際に、光ディスクドライブを前記電子機器本体に対して正確に位置決めすることができる。
【００２３】
上記電子機器は、第２の連結部材をさらに具備していてもよい。
前記第２の連結部材は、前記光ディスクドライブが前記電子機器本体に着装された状態で、前記対向領域に配置され、前記光ディスクドライブ及び前記電子機器本体を連結する。
【００２４】
この電子機器では、第２の連結部材は、電子機器本体の対向領域に配置されているので、ベゼルにより電子機器本体の開口部が閉じられた状態で、ベゼルの突出領域により覆われる。これにより、電子機器の外観上の美感が損なわれてしまうことを防止することができる。
【００２５】
一方、ベゼルにより電子機器本体の開口部が開かれた状態では、第２の連結部材は、電子機器の外部に露出する。光ディスクドライブを電子機器本体から取り外す場合、この露出された第１の連結部材の連結を解除することで、光ディスクドライブを電子機器本体から容易に取り外すことができる。
【００２６】
上記電子機器において、前記第１の連結部材及び前記第１の位置決め部は、前記幅方向での位置が同じ位置となるように配置されていてもよい。
【００２７】
このように、前記第１の連結部材及び位置決め部が、前記幅方向での位置が同じ位置となるように配置されることで、第１連結部材及び位置決め部が幅方向で異なる位置に配置される場合に比べ、ベゼルの幅寸法を小さくすることができる。
【００２８】
上記電子機器において、前記ベゼルは、前記凸部または前記凹部が設けられるベゼル本体と、前記ベゼルの移動方向で前記ベゼル本体から折り曲げられるように設けられた屈曲部とを有していてもよい。
この場合、前記電子機器は、前記電子機器本体に設けられ、前記ベゼルにより前記開口が閉じられたときに、前記屈曲部と当接し、前記ベゼルを前記開口部に対して位置決めする第２の位置決め部をさらに具備していてもよい。
【００２９】
この電子機器では、第１の位置決め部のほかに第２の位置決め部が設けられているので、さらに正確に、ベゼルを電子機器本体の開口部に対して位置決めすることができる。
【発明の効果】
【００３０】
以上説明したように、本発明の一形態によれば、電子機器の外観上の美感を向上させることができ、かつ、電子機器本体の開口部に対してベゼルを正確に位置決めすることができる電子機器を提供することができる。
【図面の簡単な説明】
【００３１】
【図１】本発明の一実施形態に係る電子機器（ＰＣ）を前方側から見た斜視図である。
【図２】電子機器（ＰＣ）を後方側から見た斜視図である。
【図３】光ディスクドライブのディスクトレーがＰＣ本体から排出された様子を示す図である。
【図４】光ディスクドライブがＰＣ本体から取り外されるとき（あるいは、ＰＣ本体に取り付けられるとき）の様子をＰＣの後方側から見た斜視図である。
【図５】光ディスクドライブがＰＣ本体から取り外されるとき（あるいは、ＰＣ本体に取り付けられるとき）の様子をＰＣの後方側から見た斜視図である。
【図６】光ディスクドライブを後方側から見た斜視図である。
【図７】図６に示すＡ方向からの矢視図である。
【図８】図６に示すＢ方向からの矢視図である。
【図９】図７に示すＣ―Ｃ間の断面矢視図である。
【図１０】図７に示すＤ―Ｄ間の断面矢視図である。
【図１１】ＰＣを後方側から見た分解斜視図である。
【図１２】ＰＣ本体の右側面側に設けられた開口部を示す側面図である。
【図１３】開口部の上端部近傍の拡大図である。
【図１４】開口部の上端部近傍を右斜め下方向から見た斜視図である。
【図１５】図１４に示すＥ−Ｅ間の断面矢視図である。
【図１６】光ディスクドライブがＰＣ本体に取り付けられるとき（取り外されるとき）の動作を説明するための図であり、開口部上端近傍におけるＺ−Ｘ平面での断面図である。
【図１７】ドライブ連結用ネジが、ドライブネジ止め部のネジ穴に螺合されるとき（ネジ穴との螺合が解除されるとき）の動作を説明するための図である。
【図１８】光ディスクドライブがＰＣ本体に取り付けられた状態での、開口部の上端部近傍の斜視図である。
【図１９】光ディスクドライブがＰＣ本体に取り付けられた状態において、ベゼルに設けられたボス部が、ＰＣ本体に設けられたボス穴に差し込まれるときの動作について説明するための図であり、ＰＣ本体の開口部の上端部近傍における断面図である。
【発明を実施するための形態】
【００３２】
以下、図面を参照しながら、本発明の実施形態を説明する。
［ディスプレイ一体型ＰＣ１００（電子機器１００）の全体構成］
図１は、本発明の一実施形態に係る電子機器１００を前方側から見た斜視図である。図２は、電子機器１００を後方側から見た斜視図である。
【００３３】
なお、本実施形態の説明では、電子機器１００の一例として、ディスプレイとＰＣとが一体化されて構成されたディスプレイ一体型ＰＣ１００（以下、単にＰＣ１００）を例に挙げて説明する。
【００３４】
図１及び図２に示すように、ＰＣ１００は、ＰＣ本体１０と、ＰＣ本体１０の右側面側において、略中央の位置に設けられた光ディスクドライブ４０とを備える。図１及び図２では、光ディスクドライブ４０のベゼル６１がＰＣ本体１０の右側面の略中央から露出した様子が示されている。
【００３５】
）
ＰＣ本体１０は、前面側に設けられた表示パネル６を含む。表示パネル６は、例えば、ＬＣＤ（Liquid Crystal Display）、ＥＬ（Electro-Luminescence）ディスプレイなどのより構成される。表示パネル６の下側には、ＰＣ本体１０を前後方向（Ｚ軸方向）に貫通する貫通穴８が設けられる。ＰＣ本体１０の後面側には、ＰＣ本体１０を後方側から支持するスタンド７が設けられる。
【００３６】
図３は、光ディスクドライブ４０のディスクトレー５１がＰＣ本体１０から排出された様子を示す図である。
【００３７】
図３に示すように、光ディスクドライブ４０は、ＣＤ（Compact Disc）、ＤＶＤ（Digital Versatile Disc）、ＢＤ（Blu-ray Disc）等の光ディスクを保持するディスクトレー５１を含む。すなわち、光ディスクドライブ４０は、トレー方式の光ディスクドライブ４０である。
【００３８】
ＰＣ本体１０は、右側面の略中央の位置に開口部９を有している。光ディスクドライブ４０のディスクトレー５１は、この開口部９を介してＰＣ本体１０から排出され、また、開口部９を介してＰＣ本体１０に収納される。
【００３９】
ここで、光ディスクドライブ４０は、ＰＣ本体１０の右側面に設けられた開口部９を介して、その全体がＰＣ本体１０に対して着脱可能とされている。
【００４０】
図４及び図５は、光ディスクドライブ４０がＰＣ本体１０から取り外されるとき（あるいは、ＰＣ本体１０に取り付けられるとき）の様子をＰＣ１００の後方側から見た斜視図である。
【００４１】
［光ディスクドライブ４０の構成］
光ディスクドライブ４０の構成について具体的に説明する。
図６は、光ディスクドライブ４０を後方側から見た斜視図である。図７は、図６に示すＡ方向からの矢視図であり、図８は、図６に示すＢ方向からの矢視図である。図９は、図７に示すＣ―Ｃ間の断面矢視図であり、図１０は、図７に示すＤ―Ｄ間の断面矢視図である。
【００４２】
図９では、ベゼル６１と、ディスクトレー５１の一部とが示されており、他の部材は、省略されている。また、図１０では、ドライブ連結体８１と、ドライブ連結体８１を支持する支持部７６が示されており、他の部材は、省略されている。
【００４３】
なお、光ディスクドライブ４０の説明において、ベゼル６１が設けられた側を前方側、反対側を後方側として説明する。また、光ディスクドライブ４０の説明において、Ｘ軸方向を奥行き方向、Ｙ軸方向を幅方向、Ｚ軸方向を厚さ方向として説明する。
【００４４】
図６に示すように、光ディスクドライブ４０は、ディスクドライブ本体４１と、光ディスクドライブ４０に対して出し入れ（排出及び収納）可能なディスクトレー５１（図３参照）とを有する。また、光ディスクドライブ４０は、ディスクトレー５１の前端側に取り付けられるベゼル６１と、ディスクドライブ本体４１に取り付けられる２つのブラケット７１、７７とを含む。
【００４５】
ディスクドライブ本体４１は、略直方体形状の基部４２と、基部４２の幅方向（Ｙ軸方向）における一方側（図６中、右側）の側部から幅方向に延出する延出部４３（図６、破線参照）とを含む。延出部４３の厚さ（Ｚ軸方向）は、基部４２の厚さよりも薄く形成されており、延出部４３は、基部４２に対して一段低く形成されている。
【００４６】
基部４２の後面には、ＰＣ本体１０に設けられたコネクタ（図示せず）が挿入されるコネクタ挿入口４４が形成されている。
【００４７】
ディスクドライブ本体４１は、内部に図示しないディスク駆動装置、光ピックアップ等を有している。ディスク駆動装置は、ディスクドライブ本体４１の内部に収納された光ディスクを回転させる。光ピックアップは、ディスク駆動装置により回転された光ディスクに対してレーザ光等を照射することにより、光ディスクから情報を読み取り、あるいは、光ディスクへ情報を記録する。
【００４８】
ディスクトレー５１（図３参照）は、光ディスクを保持可能とされており、また、ディスクドライブ本体４１に対して出し入れ（排出及び収納）可能とされる。ディスクトレー５１は、ディスクドライブ本体４１に対して奥行き方向（Ｘ軸方向）にスライドされることで、ディスクドライブ本体４１から排出され、あるいは、ディスクドライブ本体４１に収納される。
【００４９】
ベゼル６１は、ディスクトレー５１のディスクドライブ本体４１に対する出し入れ（排出及び収納）に応じて、ディスクトレーと一体的に奥行き方向（Ｘ軸方向）に移動する。ベゼル６１は、光ディスクドライブ４０がＰＣ本体１０に取り付けられた状態において、ディスクトレーのディスクドライブ本体４１（ＰＣ本体１０）に対する出し入れに応じて、ＰＣ本体１０の右側面に設けられた開口部９を開閉する（図３参照）。
【００５０】
ベゼル６１は、幅方向（Ｙ軸方向）に長い板状の部材であり、ベゼル本体６２と、ベゼル本体６２の上端部がベゼル６１の移動方向（Ｘ軸方向）に向けて折り曲げられるようにして形成された屈曲部６３とを有する。
【００５１】
図３、図４に示すように、ベゼル本体６２の前面側において、略中央の位置には、ディスクトレー５１をディスクドライブ本体４１から排出させるためのイジェクトボタン６４が設けられる。
【００５２】
図９に示すように、ベゼル本体６２の後面の下側には、ディスクトレー５１の前端部に取り付けられるトレー取り付け部６６が設けられており、ベゼル６１は、このトレー取り付け部６６を介してディスクトレー５１に取り付けられる（図８も参照）。トレー取り付け部６６は、幅方向（Ｙ軸方向）に長い部材であり、ベゼル本体６２の後面において、ベゼル６１の下端部に沿って設けられている。
【００５３】
図９に示すように、ベゼル本体６２の後面側において、トレー取り付け部６６の上部には、トレー取り付け部６６を支持する支持体６７、６７’が設けられる（図６も参照）。
【００５４】
図６に示すように、ベゼル６１の幅Ｗ２は、ディスクドライブ本体４１の幅Ｗ１よりも大きく形成されている。ベゼル６１は、幅方向の両端側に、前記光ディスクドライブ４０の幅Ｗ２よりも突出する２つの突出領域９１、９１’（図６、図７、図８中、一点鎖線参照）を有している。
【００５５】
このように、本実施形態では、ベゼル６１の幅をディスクドライブ本体４１の幅よりも大きく形成し、ベゼル６１に突出領域９１、９１’を設けることとしている。これにより、光ディスクドライブ４０がＰＣ本体１０に取り付けられた状態において、ベゼル６１によりＰＣ本体１０の開口部９が閉じられたときに、後述のリアカバー連結用ネジ４、４’及びドライブ連結用ネジ８２、８２’をベゼル６１により覆うことができる。
【００５６】
図６に示すように、突出領域９１、９１’において、ベゼル本体６２の後面側には、ボス部６５、６５’が設けられる。ボス部６５、６５’は、それぞれ突出領域９１、９１’内において、ベゼル６１の幅方向（Ｙ軸方向）の両端部の近傍に設けられる。
【００５７】
このボス部６５、６５’は、後述するボス穴３３、３３’とともに、ベゼル６１をＰＣ本体１０の開口部９に対して位置決めするため（及び光ディスクドライブ４０をＰＣ本体１０に対して位置決めするため）の第１の位置決め部として機能する。
【００５８】
ボス部６５、６５’は、同様の構成であるため、一方のボス部６５を代表的に説明する。
【００５９】
図７〜図９に示すように、ボス部６５は、ベゼル本体６２の後面から、ベゼル６１の移動方向（Ｘ軸方向）に向けて突出するように設けられる。ボス部６５は、根元側が大径で、先端側に向けて小径となる円錐台形状とされており、内部が中空とされている。
【００６０】
ボス部６５の根元部の外径は、例えば、２．６ｍｍとされ、ボス部６５のテーパ角度は、例えば、５度とされる。
【００６１】
ボス部６５の先端部の外周には、例えば、Ｃ０．２ｍｍのＣ面取り加工が施された平面状の面取り部６５ａが形成されている。ボス部６５に面取り加工が施されていることにより、ボス部６５が後述のボス穴３３に差し込まれるときに、ボス部６５をボス穴３３にスムーズに差し込ませることができる。
【００６２】
なお、面取り部６５ａは、Ｃ面取り加工に限られず、Ｒ面取り加工により形成されていてもよい。面取り部６５ａがＲ面取り加工により形成された場合、面取り部６５ａは、曲面とされる。
根元部の外径、テーパ角度、Ｃ面取り加工時のＣの値等の値は、上記した値に限られず、もちろん他の値もとり得る。
【００６３】
図６を参照して、ディスクドライブ本体４１の幅方向における一方側（図６中、右側）の側部には、第１のブラケット７１が取り付けられ、他方側（図６中、左側）の側部には、第２のブラケット７７が取り付けられる。
【００６４】
第１のブラケット７１は、板状の部材であり、ディスクドライブ本体４１の延出部４３を覆うようにして形成されている。
第１のブラケット７１は、光ディスクドライブ４０の延出部４３の上面を覆う、ＸＹ平面に平行な平面部７２を含む。また、第１のブラケット７１は、平面部７２の一方側（図６中、右側）の側端部が下側に向けて折り曲げられるようにして形成されたガイド部７４と、平面部７２の他方側（図６中、左側）の側端部が上側に向けて折り曲げられるようにして形成された取り付け部７３とを有する。
【００６５】
取り付け部７３は、ネジ９５等によって、ディスクドライブ本体４１の基部４２の一方側（図６中右側）の側面に取り付けられる。
ガイド部７４は、光ディスクドライブ４０がＰＣ本体１０から着脱される際に、ＰＣ本体１０側に設けられたガイド溝などのガイド機構（図示せず）に案内される。
【００６６】
平面部７２の前端部には、平面部７２から上方に向けて延びるように設けられたクッション部７５が設けられる（図３、後述の図１７も参照）。このクッション部７５は、光ディスクドライブ４０がＰＣ本体１０に取り付けられた状態において、ベゼル本体６２に対して奥行き方向（Ｘ軸方向）に外力が加えられたときに、ベゼル本体６２の後面に当接してベゼル本体６２を後方側から支持する。
【００６７】
平面部７２の前端部には、光ディスクドライブ４０をＰＣ本体１０に連結するためのドライブ連結体８１を支持する支持部７６が設けられる（図７、図８も参照）。支持部７６は、平面部７２の前端部において、幅方向の外側に向けて突出するように設けられている。
【００６８】
第２のブラケット７７は、第１のブラケット７１と同様に板状の部材である。第２のブラケット７７は、ディスクドライブ本体４１の他方側（図６中、左側）の側面に取り付けられる取り付け部７８と、取り付け部７８の上端部が幅方向（Ｙ軸方向）の外側に向けて折り曲げられるようにして形成されたガイド部７７とを有する。
【００６９】
取り付け部７８は、図示しないネジ等によってディスクドライブ本体４１の他方側（図６中、左側）の側面に取り付けられる。
ガイド部７７は、光ディスクドライブ４０がＰＣ本体１０から着脱される際に、ＰＣ本体１０側に設けられたガイド溝等のガイド機構（図示せず）に案内される。
【００７０】
取り付け部７８の前端側には、光ディスクドライブ４０をＰＣ本体１０に連結するためのドライブ連結体８１’を支持する支持部７６’（図５参照）が設けられる。支持部７６’は、取り付け部７８の前端部において、幅方向の外側に向けて突出するように設けられる。
【００７１】
図７、図８、図１０を参照して、２つのドライブ連結体８１、８１’のうち、一方のドライブ連結体８１の構成について、代表的に説明する。
【００７２】
図７、図８、図１０に示すように、ドライブ連結体８１は、ドライブ連結用ネジ８２（第２の連結部材）と、スタッド８３と、バネ８４とを有する。
ドライブ連結用ネジ８２は、ネジ頭８２ａと、一端部がネジ頭８２ａに固定され、他端部側にネジ部８３ｃが形成されたネジ軸８２ｂとを有する。
【００７３】
スタッド８３は、第１のブラケット７１の支持部７５に固定された円筒形状の筒部８３ａと、筒部８３ａの内周側において、筒部８３ａの上下方向の中央近傍に設けられた係止部８３ｂとを有する。係止部８３ｂは、円板状の部材であり、中央にドライブ連結用ネジ８２のネジ軸８２ｂを挿入させるための穴が設けられている。
【００７４】
バネ８４は、一端がドライブ連結用ネジ８２のネジ頭８２ａに固定され、ネジ軸８２ｂの回りに巻回されている。バネ８４は、筒部８３ａの内部において、係止部８３ｂの上面により係止されることで、ドライブ連結用ネジ８２を上方に向けて付勢する。
【００７５】
［ＰＣ本体１０の構成］
次に、ＰＣ本体１０の構成について具体的に説明する。
図１１は、ＰＣ１００を後方側から見た分解斜視図である。図１２は、ＰＣ本体１０の右側面側に設けられた開口部９を示す側面図である。図１３は、開口部９の上端部近傍の拡大図である。図１４は、開口部９の上端部近傍を右斜め下方向から見た斜視図である。図１５は、図１４に示すＥ−Ｅ間の断面矢視図である。
【００７６】
図１１に示すように、ＰＣ本体１０は、センターシャーシ１と、センターシャーシ１の後面側に配置されるセンターブラケット１１とを有する。また、ＰＣ本体１０は、センターブラケット１１の後面側に配置される基板保持部材２１と、基板保持部材２１の後面側に配置されるリアカバー３１とを有する。
【００７７】
センターシャーシ１は、前面側に窪みを有するトレー状の形状を有している。センターシャーシ１の前方側の窪みには、表示パネル６がネジ止め等の方法により取り付けられる。
【００７８】
センターシャーシ１の側端部の近傍には、センターシャーシ１の後面から後方側に突出する２つのネジ止めボス２、２’が設けられる。ネジ止めボス２、２’には、リアカバー連結用ネジ４、４’（第１の連結部材）に螺合されるネジ穴２ａ、２ａ（図１５も参照）が設けられる。
【００７９】
ネジ止めボス２、２’は、センターシャーシ１等のＰＣ本体１０を構成する各種の部品が組立てられた状態で、開口部９の上下方向（Ｙ軸方向）の両端部近傍に配置される（図１２、１３参照）。
なお、図１１において図示は省略しているが、センターシャーシ１には、図示されたネジ穴以外にも、表示パネル６、センターブラケット１１、基板保持部材２１、リアカバー３１等を、センターシャーシ１に固定するための複数のネジ穴が形成されている。また、図示は省略しているが、配線用、冷却用などの目的で、センターシャーシ１には、センターシャーシ１を貫通する複数の穴が形成されている。
【００８０】
センターブラケット１１は、略矩形の平板形状を有しており、例えば、アルミなどに金属により構成される。センターブラケット１１には、ＣＰＵ（Centrl processing Unit）、チップセット、メモリ等が搭載されたマザーボード（図示せず）がネジ止め等の方法により固定される。マザーボードは、センターブラケット１１に固定されることでグランドされている。
【００８１】
センターブラケット１１の側端部には、センターブラケット１１の側部から外側に向けて突出する２つの突出部１２、１２’が設けられる。
【００８２】
突出部１２、１２’は、それぞれ取り付け部１３、１３’と、ドライブネジ止め部１４、１４’とを有する。取り付け部１３、１３’には、リアカバー連結用ネジ４、４’が挿通される挿通穴１３ａ、１３ａが形成される（図１５も参照）。ドライブネジ止め部１４、１４’には、上述の光ディスクドライブ４０に設けられたドライブ連結体８１、８１’のドライブ連結用ネジ８２、８２’をネジ止めするネジ穴１４ａ、１４ａが設けられる（図１４も参照）。
【００８３】
取り付け部１３、１３’は、センターシャーシ１の後面側において、センターシャーシ１のネジ止めボス２、２’に対応する位置に設けられている。取り付け部１３、１３’の挿通穴１３ａ、１３ａは、ネジ止めボス２、２’のネジ穴２ａ、２ａに対応する位置に設けられている。取り付け部１３、１３’の先端部は、ＰＣ本体１０の前方側に向けて、折り曲げされるように形成されている。
【００８４】
取り付け部１３、１３’は、ＰＣ本体１０を構成する各種の部品が組立てられた状態で、開口部９の上下方向（Ｙ軸方向）の両端部近傍に配置される（図１２〜１４参照）。
【００８５】
ドライブネジ止め部１４、１４’は、上下方向（Ｙ軸方向）で、取り付け部１３、１３’に並ぶようして配置される。ドライブネジ止め部１４、１４’は、ＰＣ本体１０を構成する各種の部品が組立てられた状態で、開口部９の上下方向の両端部近傍において、取り付け部１３、１３’よりも開口部９の中央よりの位置に配置される（図１２〜１４参照）。ドライブネジ止め部１４、１４’の先端部は、ＰＣ本体１０の前方側に向けて折り曲げられるようにして形成されている。
【００８６】
なお、図１１において、図示は省略しているが、センターブラケット１１には、ネジ止め用、配線用、冷却用等の目的で、センターシャーシ１を貫通する複数の穴が設けられている。
【００８７】
センターブラケット１１の後方側に配置される基板保持部材２１は、マザーボード以外の別基板（図示せず）を保持する部材である。基板保持部材２１は、光ディスクドライブ４０がＰＣ本体１０の開口部９を介して着脱される際に、光ディスクドライブ４０のブラケット７１、７７に設けられたガイド部７４、７９を案内するガイド溝等のガイド機構（図示せず）を含む。
【００８８】
基板保持部材２１は、ネジ止めに等の方法により、センターブラケット１１を介してセンターシャーシ１に取り付けられている。センターブラケット１１と、基板保持部材２１に挟まれた領域に光ディスクドライブ４０が配置される。
【００８９】
リアカバー３１は、ＰＣ本体１０の後ろ側で、ＰＣ本体１０の外筐の少なくとも一部を構成する部材である。
【００９０】
図１１〜図１５に示すように、リアカバー３１の側面には、開口部９が形成されており、開口部９内において、開口部９の上端部及び下端部には、ネジ止め体３２、３２’が設けられる。
ネジ止め体３２、３２’には、リアカバー連結用ネジ４、４’が挿通されるネジ穴３２ａ、３２ａが設けられる（図１１、図１５参照）。また、ネジ止め体３２、３２’には、光ディスクドライブ４０のベゼル６１に設けられたボス部６５、６５’が差し込まれるボス穴３３、３３’が形成される。
【００９１】
ネジ止め体３２、３２’のネジ穴３２ａ、３２ａは、ネジ止め体３２、３２’を前後方向（Ｚ軸方向）に貫通するように形成されている。このネジ止め体３２、３２’に設けられたネジ穴３２ａ、３２ａは、センターシャーシ１のネジ止めボス２、２’に設けられたネジ穴２ａ、２ａと、センターブラケット１１の取り付け部１３、１３’に設けられた挿通穴１３ａ、１３ａに対応する位置に設けられる。
【００９２】
リアカバー連結用ネジ４、４’は、リアカバー３１のネジ止め体３２、３２’のネジ穴３２ａ、３２ａ、センターブラケット１１の取り付け部１３、１３の挿通穴１３ａ、１３ａ、センターシャーシ１のネジ止めボス２、２のネジ穴２ａ、２ａをネジ止めする（図１１、１５参照）。これにより、リアカバー３１及びセンターブラケット１１は、リアカバー連結用ネジ４、４’によってセンターシャーシ１にネジ止めされる。
【００９３】
ここで、リアカバー３１及びセンターブラケット１１がリアカバー連結用ネジ４、４’により、センターシャーシ１にネジ止めされた状態で、リアカバー連結用ネジ４、４’は、開口部９内の対向領域９２、９２’（図３、図１２、図１３一点鎖線参照）に配置される。対向領域９２、９２’とは、ＰＣ本体の開口部９内における上端部及び下端部近傍の領域であって、ベゼル６１の突出領域９１、９１’に対向する領域である。
【００９４】
このように、リアカバー連結用ネジ４、４’が対向領域９２、９２’に配置されることで、ベゼル６１によって開口部９が閉じられたときに、リアカバー連結用ネジ４、４’がベゼル６１の突出領域９１、９１’によって覆われることになる。これにより、ＰＣ１００の外観上の美感を向上させることができる。
【００９５】
ネジ止め体３２、３２’に形成されたボス穴３３、３３’は、ネジ穴３２ａ、３２ａと直行する方向であって、ベゼル６１の移動方向（Ｘ軸方向）と平行な方向に向けて開口されている。
【００９６】
このボス穴３３、３３’と、上記した光ディスクドライブ４０のベゼル６１に設けられたボス部６５、６５’とにより、ベゼル６１を開口部９に対して（及び光ディスクドライブ４０をＰＣ本体１０に対して）位置決めする第１の部が構成される。
【００９７】
ここで、図１２、図１３等に示されているように、ボス穴３３、３３’は、リアカバー連結用ネジ４、４’と同様に、ＰＣ本体１０側で、ベゼル６１の突出領域９１、９１’と対向する対向領域９２、９２’に配置される。また、ボス穴３３、３３’と、リアカバー連結用ネジ４、４’とは、開口部９の上下方向（Ｙ軸方向（光ディスクドライブ４０の幅方向））での位置が同じ位置となるように配置されている。
【００９８】
これにより、ボス穴３３、３３’と、リアカバー連結用ネジ４、４’とを開口部９の上下方向で異なる位置に配置する場合と比べ、ベゼル６１の突出領域９１、９１’及びＰＣ本体１０の対向領域９２、９２’を小さくすることができる。
【００９９】
ボス穴３３、３３’は、同様の構成であるので、図１５を参照して、一方のボス穴３３を代表的に説明する。
【０１００】
図１５に示すように、ボス穴３３は、出口部側が大径とされ、奥側に向けて小径となるように形成されており、ベゼル６１に設けられたボス部６５と同様に、円錐台形状とされている。なお、ボス穴３３は、ボス部６５よりも少し大きい程度の大きさとされている。
【０１０１】
出口部におけるボス穴３３の内径は、例えば、３．４ｍｍとされる。ボス穴３３のテーパ角度は、例えば、５度とされる。なお、ボス穴３３内径及びテーパ角度は、これらの値に限られず、もちろん他の値もとり得る。
【０１０２】
ボス穴３３の出口部には、例えば、Ｃ０．４ｍｍのＣ面取り加工が施されており、ボス穴３３の出口部には、面取り部３３ａが形成されている。
なお、面取り部３３ａは、Ｃ面取り加工に限られず、Ｒ面取り加工により形成されていてもよい。面取り部３３ａがＲ面取り加工により形成された場合、面取り部３３ａは、曲面とされる。
【０１０３】
ボス穴３３に面取り加工が施されていることにより、ボス部６５がボス穴３３に差し込まれるときに、ボス部６５をボス穴３３にスムーズに差し込ませることができる。
【０１０４】
図１２〜図１５に示すように、ネジ止め体３２、３２’には、それぞれ、リブ３４、３４’が設けられている。リブ３４、３４’は、ネジ止め体３２、３２’の開口部９の中央側の端部から、ＰＣ本体１０の後方側（Ｚ軸方向）に向けて突出するように設けられている。このリブ３４、３４は、光ディスクドライブ４０のベゼル６１によってＰＣ本体１０の開口部９が閉じられるときに、ベゼル６１の屈曲部６３と当接することで、ベゼル６１を開口部９に対して（光ディスクドライブ４０をＰＣ本体１０に対して）位置決めする第２の位置決め部として機能する。
【０１０５】
［動作説明］
次に、本実施形態に係るＰＣ１００の動作について説明する。
「光ディスクドライブ４０のＰＣ本体１０に対する取り付け及び取り外しの際の動作」
まず、光ディスクドライブ４０がＰＣ本体１０に取り付けられるとき及び取り外されるときの動作について説明する。
【０１０６】
図１６は、光ディスクドライブ４０がＰＣ本体１０に取り付けられるとき（取り外されるとき）の動作を説明するための図であり、開口部９上端近傍におけるＺ−Ｘ平面での断面図である。
【０１０７】
図１７は、ドライブ連結用ネジ８２が、ドライブネジ止め部１４のネジ穴１４ａに螺合されるとき（ネジ穴１４ａとの螺合が解除されるとき）の動作を説明するための図である。図１８は、光ディスクドライブ４０がＰＣ本体１０に取り付けられた状態での、開口部９の上端部近傍の斜視図である。図１８では、光ディスクドライブ４０のベゼル６１を省略して図示している。
【０１０８】
なお、光ディスクドライブ４０がＰＣ本体１０に取り付けられるとき（取り外されるとき）の動作を説明では、上述の図４、図５も参照することとする。
【０１０９】
図４、図５に示すように、光ディスクドライブ４０がＰＣ本体１０に取り付けられるとき、光ディスクドライブ４０は、ＰＣ本体１０の開口部９を介して後方側から差し込まれる。このとき、光ディスクドライブ４０のブラケット７１、７７に設けられたガイド部７４、７９が、ＰＣ本体１０に設けられたガイド溝などのガイド機構（図示せず）に案内される。これにより、光ディスクドライブ４０は、ＰＣ本体１０にＸ軸方向に案内されつつ、スライドされＰＣ本体１０に差し込まれる。
【０１１０】
図１６（Ａ）、（Ｂ）に示すように、光ディスクドライブ４０が奥まで差し込まれると、ベゼル６１によって、開口部９が閉じられる。このとき、光ディスクドライブ４０のベゼル６１の突出領域９１に設けられたボス部６５が、ＰＣ本体１０の対向領域９２内において、ネジ止め体３２に設けられたボス穴３３に差し込まれる。
【０１１１】
ここで、上記したように、ボス部６５には、面取り部６５ａが設けられており、また、ボス穴３３にも面取り部３３ａが設けられている。これにより、ボス部６５がボス穴３３に差し込まれるときに、ボス部６５をボス穴３３に対してスムーズに差し込ませることができる。
【０１１２】
なお、図１６（Ａ）（Ｂ）では、一方のボス部６５及びボス穴３３の関係が示されているが、他方のボス部６５’及びボス穴３３’の関係についても同様である。
【０１１３】
ボス部６５、６５’がボス穴３３、３３’に差し込まれることによって、ベゼル６１が開口部９に対して位置決めされることになる。これにより、光ディスクドライブ４０の取り付け時において、光ディスクドライブ４０は、ＰＣ本体１０に対して正確に位置決めされることになる。
【０１１４】
また、図１６（Ａ）、（Ｂ）に示されているように、光ディスクドライブ４０がＰＣ本体１０へ差し込まれ、ベゼル６１によって開口部９が閉じられるとき、ＰＣ本体１０のリブ３４によって、ベゼル６１がＰＣ本体の前後方向（Ｚ軸方向）で位置決めされる。
【０１１５】
すなわち、ベゼル６１によってＰＣ本体の開口部９が閉じられるとき、ベゼルがＰＣ本体の前後方向（Ｚ軸方向）でずれている場合、リブ３４と、ベゼルの屈曲部６３の下面とが当接し、ベゼル６１がＰＣ本体の前後方向で位置決めされる。
【０１１６】
なお、図１６（Ａ）、（Ｂ）では、一方のリブ３４と、ベゼル６１の屈曲部６３との関係が示されているが、他方のリブ３４’と、ベゼル６１の屈曲部６３との関係についても同様である。
【０１１７】
リブ３４、３４’によって、ベゼル６１が開口部９に対して位置決めされることによって、光ディスクドライブ４０は、ＰＣ本体１０に対して、さらに正確に位置決めされることになる。
【０１１８】
次に、図１７及び図１８を参照して、光ディスクドライブ４０と、ＰＣ本体１０との連結時の動作等について説明する。
【０１１９】
図１７（Ａ）に示すように、光ディスクドライブ４０がＰＣ本体１０に対して差し込まれるとき、光ディスクドライブ４０のドライブ連結体８１、支持部７６は、ＰＣ本体１０のドライブネジ止め部１４の上方（ＰＣ本体１０後方側）をスライドする。そして、ボス部６５、６５’及びボス穴３３、３３’と、リブ３４、３４’及びベゼル６１の屈曲部６３との位置決めによって、ドライブ連結用ネジ８２は、ドライブネジ止め部１４のネジ穴１４ａに対応する位置に移動される。
【０１２０】
ドライブ連結用ネジ８２がドライブネジ止め部１４のネジ穴１４ａに対応する位置まで移動されると、ユーザは、ドライバー等を用いて、ドライブ連結用ネジ８２のネジ頭８２ａをバネ８４の弾性力に抗して押圧しつつ、ドライブ連結用ネジ８２を回転させる。
【０１２１】
すると、図１７（Ｂ）に示すように、ドライブ連結用ネジ８２のネジ軸８２ｂの先端に設けられたネジ部８３ｃが、ドライブネジ止め部１４のネジ穴１４ａに螺合される（図１８も参照）。これにより、光ディスクドライブ４０は、ＰＣ本体１０に対して強固に連結される。
【０１２２】
図１７（Ｂ）に示すように、ドライブ連結用ネジ８２がドライブネジ止め部１４のネジ穴１４ａにネジ止めされた状態において、バネ８４は、係止部８３ｂと、ネジ頭８２ａとの間に挟まれて、ドライブ連結用ネジ８２を上方に付勢する。
これにより、ディスクドライブにおけるディスクの回転等における振動により、ドライブ連結用ネジ８２が緩んでしまうことを防止することができる。
【０１２３】
なお、光ディスクドライブ４０がＰＣ本体１０に取り付けられた状態では、ドライブ連結用ネジ８２は、対向領域９２に配置されることになる。図１７、図１８では、一方のドライブ連結体８１及びドライブネジ止め部１４の関係について説明したが、他方のドライブ連結体８１’及びドライブネジ止め部１４’の関係についても同様である。
【０１２４】
以上の説明では、光ディスクドライブ４０がＰＣ本体１０に対して取り付けられる際の動作について説明した。一方、光ディスクドライブ４０の取り外しの際には、まず、ユーザは、ドライバー等を用いてドライブ連結用ネジ８２、８２’を回転させて、ドライブ連結用ネジ８２、８２’とドライブネジ止め部１４、１４のネジ穴１４ａ、１４ａとの螺合を解除する（図１７参照）。
【０１２５】
そして、ユーザは、ディスクドライブ本体４１を開口部９を介して引き出し、光ディスクドライブ４０をＰＣ本体１０から取り外す（図４、図５、図１６参照）。
【０１２６】
「光ディスクドライブ４０がＰＣ本体１０に取り付けられた状態で、ベゼル６１が開口部９を開閉する時の動作」
次に、光ディスクドライブ４０がＰＣ本体１０に取り付けられた状態で、ベゼル６１が開口部９を開閉する時の動作について説明する。
まず、図３を参照して、ベゼル６１により開口部９が開閉されることで、リアカバー連結用ネジ４、４’及びドライブ連結用ネジ８２、８２’がベゼルの突出領域９１、９１’によって覆われたり、露出したりするときの動作について説明する。
【０１２７】
図３を参照して、ＰＣ本体１０（ディスクドライブ本体４１）から排出されたベゼル６１を、ＰＣ本体１０に収納させる場合、ユーザは、ベゼル６１の前面を押圧し、ベゼル６１を後方側（Ｘ軸方向）に向けて押し込む。
【０１２８】
すると、ディスクトレー５１及びベゼル６１が後方側に一体的に移動され、ディスクトレー５１がＰＣ本体１０（ディスクドライブ本体４１）に収納され、ベゼル６１によってＰＣ本体１０の開口部９が閉じられる。
【０１２９】
開口部９がベゼル６１によって閉じられるとき、開口部９内の対向領域９２、９２’に配置されたリアカバー連結用ネジ４、４’が、ベゼル６１の突出領域９１、９１’によって覆われる。これにより、ＰＣ１００の外観上の美感を向上させることができる。
【０１３０】
また、開口部９がベゼル６１によって閉じられるとき、開口部９内の対向領域９２、９２’に配置されたドライブ連結用ネジ８２、８２’がベゼル６１によって覆われることになる。これにより、ＰＣ１００の外観上の美感を損なうことなく、光ディスクドライブ４０をＰＣ本体１０に対して連結することができる。
【０１３１】
一方、ユーザがＰＣ本体１０（ディスクドライブ本体４１）内に収納されたディスクトレー５１を排出させる場合、ユーザは、ベゼル６１の前面側に設けられたイジェクトボタン６４を押圧する。これにより、ディスクトレー５１及びベゼル６１が光ディスクドライブ４０の前方側（Ｘ軸方向）へ移動され、ディスクトレー５１がＰＣ本体１０（ディスクドライブ本体４１）から排出され、ベゼル６１によって閉じられていた開口部９が開く。
【０１３２】
開口部９が開かれることによって、ベゼル６１の突出領域９１、９１’によって覆われていた、ＰＣ本体１０のドライブ連結用ネジ８２、８２’が露出する。
【０１３３】
例えば、光ディスクドライブ４０が故障した場合などに、光ディスクドライブ４０を交換する必要がある場合を想定する。この場合、ユーザは、ディスクトレー５１をＰＣ本体１０（ディスクドライブ本体４１）から排出させ、ドライブ連結用ネジ８２、８２’を露出させる。そして、ユーザは、上記したように、ドライブ連結用ネジ８２、８２’とドライブネジ止め部１４、１４’との螺合を解除し、光ディスクドライブ４０をＰＣ本体１０から取り外すことができる。
【０１３４】
このように、本実施形態では、ドライブ連結用ネジ８２をベゼル６１の突出領域９１の後方側（Ｘ軸方向）に隠しつつ、必要がある場合には、ドライブ連結用ネジ８２を露出させて、容易に光ディスクドライブ４０をＰＣ本体１０から取り外すことができる。
【０１３５】
次に、光ディスクドライブ４０がＰＣ本体１０に取り付けられた状態において、ベゼル６１に設けられたボス部６５、６５’が、ＰＣ本体１０に設けられたボス穴３３、３３’に差し込まれるときの動作について説明する。
【０１３６】
図１９は、このときの動作を説明するための図であり、ＰＣ本体１０の開口部９の上端部近傍における断面図である。
【０１３７】
１９（Ａ）、（Ｂ）に示すように、ベゼル６１によって開口部９が閉じられるとき、光ディスクドライブ４０のベゼル６１の突出領域９１に設けられたボス部６５が、ＰＣ本体１０の対向領域９２に設けられたボス穴３３に差し込まれる。
【０１３８】
ボス部６５には、面取り部６５ａが設けられており、また、ボス穴３３にも面取り部３３ａが設けられているので、ボス部６５がボス穴３３に差し込まれるときに、ボス部６５をボス穴３３に対してスムーズに差し込ませることができる。
【０１３９】
なお、図１９（Ａ）（Ｂ）では、一方のボス部６５及びボス穴３３の関係が示されているが、他方のボス部６５’及びボス穴３３’の関係についても同様である。
【０１４０】
ボス部６５、６５’がボス穴３３、３３’に差し込まれることで、ベゼル６１を開口部９に対して正確に位置決めすることができる。これにより、ベゼル６１により開口部９が閉じられたときに、ベゼル６１と開口部９との間に隙間が生じてしまう等の問題を解消することができる。
【０１４１】
すなわち、本実施形態では、リアカバー連結用ネジ４、４’（及びドライブ連結用ネジ８２、８２’）を覆うために、ベゼル６１を大きく形成し、ベゼル６１に突出領域９１、９１’を形成している。このように、ベゼル６１を大きく形成した場合、ベゼル６１を開口部９に対して位置決めすることが困難となる。しかし、本実施形態では、ボス部６５、６５’がボス穴３３、３３’によって、ベゼル６１を開口部９に対して、正確に位置決めすることができ、ベゼル６１と開口部９との間に隙間が生じてしまう等の問題を解消することができる。
【０１４２】
また、ＰＣ本体１０の開口部９がベゼル６１によって閉じられる場合、ベゼル６１が開口部９に対してＰＣ本体１０の前後方向（Ｚ軸方向）でずれているとき、ベゼル６１の屈曲部６３が、ＰＣ本体１０のリブ３４、３４’に当接する。
これにより、ベゼル６１は、開口部９に対して、さらに正確に位置決めされることになる。
【０１４３】
ベゼル６１により開口部９が閉じられた状態において、ベゼル６１の屈曲部６３に対して、ＰＣ本体１０の後方側から外力Ｆ１（図１９（Ｂ）参照）が加えられた場合、ＰＣ本体１０に設けられたリブ３４、３４’が、ベゼル６１の屈曲部６３を支持する。これにより、ベゼル６１により開口部９が閉じられた状態において、外力Ｆ１が加えられた場合にも、ベゼル６１を開口部９に対して正確に位置決めすることができる。
【０１４４】
開口部９が閉じられた状態で、ベゼル本体６２に対して、ＰＣ本体１０の側方側（ベゼル６１の前方側）から外力Ｆ２（図１９（Ｂ）参照）が加えられた場合、ディスクドライブ本体４１の第１のブラケット７１に設けられたクッション部７５がベゼル６１の後方側からベゼル本体６２を支持する。これにより、ベゼル６１により開口部９が閉じられた状態において、外力Ｆ２が加えられた場合にも、ベゼル６１を開口部９に対して正確に位置決めすることができる。
【０１４５】
すなわち、図６に示すように、ディスクドライブ本体４１は、略直方体の基部４２の一方側の側部から突出する、基部４２よりも一段低く形成された延出部４３が設けられている。ここで、仮に、クッション部７５が無いとした場合には、延出部４３の上方（ＰＣ本体１０の後方）で、ベゼル本体６２を後方側から支持する部材が無い。そこで、本実施形態では、第１のブラケット７１に対してクッション部７５を設けて、ベゼル６１を後方側から支持するクッション部７５を設けることとしている。これにより、ベゼル６１により開口部９が閉じられた状態において、外力Ｆ２が加えられた場合にも、ベゼル６１を開口部９に対して正確に位置決めすることができる。
【０１４６】
＜各種変形例＞
上述の説明では、ＰＣ１００が、２組のボス部及びボス穴を備える場合について説明した。しかしこれに限られず、ボス部及びボス穴は、１組であってもよい。このような場合においても、ベゼル６１を開口部９に対して正確に位置決めすることができる。
【０１４７】
また、以上の説明では、ベゼル６１の突出領域９１、９１’にボス部６５、６５’が設けられ、ＰＣ本体１０の対向領域９２、９２’にボス穴３３、３３’が設けられるとして説明した。しかしこれに限られず、突出領域９１、９１’にボス穴が形成され、対向領域９２、９２’にボス部が設けられていてもよい。
【０１４８】
上述の説明では、電子機器１００の一例として、ディスプレイ一体型ＰＣ１００を例に挙げて説明した。しかし、電子機器１００は、これに限られない。典型的には、電子機器１００は、光ディスクドライブ４０を備える電子機器１００であれば、どのような電子機器１００であってもよい。電子機器１００の他の例としては、ノート型ＰＣ、テレビジョン装置、オーディオ機器等が挙げられる。
【符号の説明】
【０１４９】
１…センターシャーシ
２、２’…ネジ止めボス
４、４’…リアカバー連結用ネジ
９…開口部
１０…ＰＣ本体
１１…センターブラケット
２１…基板保持部材
３１…リアカバー
３２、３２’…ネジ止め体
３３、３３’…ボス穴
３４、３４’…リブ
４０…光ディスクドライブ
４１…ディスクドライブ本体
５１…ディスクトレー
６１…ベゼル
６２…ベゼル本体
６３…屈曲部
６５、６５’…ボス部
８１、８１’…ドライブ連結体
８２、８２’…ドライブ連結用ネジ
９１、９１’…突出領域
９２、９２’…対向領域
１００…ＰＣ
【図１】
2011253598.tif 000003
【図２】
2011253598.tif 000004
【図３】
2011253598.tif 000005
【図４】
2011253598.tif 000006
【図５】
2011253598.tif 000007
【図６】
2011253598.tif 000008
【図７】
2011253598.tif 000009
【図８】
2011253598.tif 000010
【図９】
2011253598.tif 000011
【図１０】
2011253598.tif 000012
【図１１】
2011253598.tif 000013
【図１２】
2011253598.tif 000014
【図１３】
2011253598.tif 000015
【図１４】
2011253598.tif 000016
【図１５】
2011253598.tif 000017
【図１６】
2011253598.tif 000018
【図１７】
2011253598.tif 000019
【図１８】
2011253598.tif 000020
【図１９】
2011253598.tif 000021